【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
データ管理方法であって、
第１の記憶システム内のボリュームを第２の記憶システム内のボリュームにミラーリングし、前記第２の記憶システム内のボリュームを、前記第１および前記第２の記憶システムを含む第２の地理的位置から離れた第１の地理的位置にある第３の記憶システム内のボリュームにミラーリングすることを示すミラーリング・ポリシーを処理するステップと、
前記第２の地理的位置において、前記第１および前記第２の記憶システムの障害を検出するステップと、
前記第１の記憶システムおよび前記第２の記憶システムの障害の検出に応答して、入力／出力要求をホスト・システムのアプリケーションから前記第１の記憶システム内のボリュームに向けるためのファイルを更新することによりネットワーク・リソースを、前記第３の記憶システム内のボリュームに入力／出力要求を向けるように自動再構成するステップと、
前記第１の記憶システムの障害および前記第２の記憶システムの可用性を検出するステップと、
前記第１の記憶システムの障害および前記第２の記憶システムの可用性の検出に応じて、前記第１の記憶システム内のボリュームに入力／出力要求を向けるネットワーク・リソースを、前記第２の記憶システム内のボリュームに向けるように再構成するステップと、
前記第１の記憶システム内のボリュームへの入力／出力要求を前記第２の記憶システム内のボリュームに向けるように前記ネットワーク・リソースを再構成した後に、前記第２の記憶システムに対する更新を前記第３の記憶システムにコピーするステップと、
を含むデータ管理方法。
【請求項２】
前記第１および前記第２の記憶システムの障害を検出する前記ステップ、および入力／出力要求を前記第３の記憶システム内のボリュームに向けるネットワーク・リソースを自動再構成する前記ステップとを、前記第１の地理的遠隔地にある監視プログラムが実行する、請求項１に記載のデータ管理方法。
【請求項３】
前記第１および前記第２の記憶システムにおける障害を検出した後に、遠隔的フェイルオーバ動作を示すメッセージをネットワーク管理者に送信するステップと、
前記遠隔的フェイルオーバを実行するか否かを示す応答を前記ネットワーク管理者から受信するステップと、
を更に含み、前記応答が前記遠隔的フェイルオーバの実行を示す場合に前記自動再構成が行われる、請求項１に記載のデータ管理方法。
【請求項４】
前記ネットワーク・リソースの自動再構成を行う前記ステップは、
ネットワーク・デバイスにおいて再構成の対象となるネットワーク・リソースを示す構成データベースを提供するステップと、
前記第１の記憶システム内のボリュームへの入力／出力要求を、前記ネットワーク・リソースが前記第３の記憶システムに向けるようにするために、該ネットワーク・リソースによって使用される構成設定を決定するため、前記構成データベースを処理するステップと、
を含み、前記再構成は、決定された前記構成設定を前記第３の記憶システムに関するアドレス情報で更新することにより行われる、請求項１に記載のデータ管理方法。
【請求項５】
前記第１の記憶システムからの更新を前記第２の記憶システムに同期的にコピーするステップと、
前記第２の記憶システムからの更新を前記第３の記憶システムに非同期的にコピーするステップと、
を更に含む、請求項１に記載のデータ管理方法。
【請求項６】
前記第１の記憶システム内のボリュームへの入力／出力要求を前記第２の記憶システム内のボリュームに向けるようにネットワーク・リソースを自動再構成する前記ステップは、前記ボリュームに向けられた入力／出力要求の中断が最小限になるように実行され、前記ボリュームの継続的な可用性がもたらされる、請求項１に記載のデータ管理方法。
【請求項７】
アプリケーションを含むホスト・システムと通信するデータ管理システムであって、
ボリュームを有する第１の記憶システムと、
ボリュームを有する第２の記憶システムと、
ボリュームを有する第３の記憶システムと、
前記第１の記憶システム内のボリュームを前記第２の記憶システム内のボリュームにミラーリングし、前記第２の記憶システム内のボリュームを、前記第１および前記第２の記憶システムを含む第２の地理的位置から離れた第１の地理的位置にある、前記第３の記憶システム内のボリュームにミラーリングすることを示すミラーリング・ポリシーを処理する手段と、
前記第２の地理的位置において、前記第１および前記第２の記憶システムの障害を検出する手段と、
前記第１の記憶システムおよび前記第２の記憶システムの障害の検出に応答して、入力／出力要求をホスト・システムのアプリケーションから前記第１の記憶システム内のボリュームに向けるためのファイルを更新することによりネットワーク・リソースを、前記第３の記憶システム内のボリュームに入力／出力要求を向けるように自動再構成する手段と、
前記第１の記憶システムの障害および前記第２の記憶システムの可用性を検出する手段と、
前記第１の記憶システムの障害および前記第２の記憶システムの可用性の検出に応じて、前記第１の記憶システム内のボリュームに入力／出力要求を向けるネットワーク・リソースを、前記第２の記憶システム内のボリュームに向けるように再構成する手段と、
前記第１の記憶システム内のボリュームへの前記入力／出力要求を前記第２の記憶システム内のボリュームに向けるようにネットワーク・リソースを再構成した後に、前記第２の記憶システムに対する更新を前記第３の記憶システムにコピーする手段と、
を含むデータ管理システム。
【請求項８】
前記第１および前記第２の記憶システムの障害を検出する前記手段、およびネットワーク・リソースを自動再構成する前記手段は、前記第１の地理的遠隔地にある、請求項７に記載のデータ管理システム。
【請求項９】
前記第１および前記第２の記憶システムにおける障害を検出した後に、遠隔的フェイルオーバ動作を示すメッセージをネットワーク管理者に送信する手段と、
前記遠隔的フェイルオーバを実行するか否かを示す応答を前記ネットワーク管理者から受信する手段と、
を更に含み、前記応答が前記遠隔的フェイルオーバの実行を示す場合に前記自動再構成が行われる、請求項７に記載のデータ管理システム。
【請求項１０】
ネットワーク・リソースの自動再構成を行う前記手段は、更に、ネットワーク・デバイスにおいて再構成の対象となるネットワーク・リソースを示す構成データベースを提供し、かつ、前記第１の記憶システム内のボリュームへの入力／出力要求を該ネットワーク・リソースが前記第３の記憶システムに向けるようにするために、該ネットワーク・リソースによって使用される構成設定を決定するため、前記構成データベースを処理し、
前記再構成は、決定された前記構成設定を前記第３の記憶システムに関するアドレス情報で更新することにより行われる、請求項７に記載のデータ管理システム。
【請求項１１】
前記第１の記憶システムからの更新を前記第２の記憶システムに同期的にコピーする手段と、
前記第２の記憶システムからの更新を前記第３の記憶システムに非同期的にコピーする手段と、
を更に含む、請求項７に記載のデータ管理システム。
【請求項１２】
前記第１の記憶システム内のボリュームへの入力／出力要求を前記第２の記憶システム内のボリュームに向けるようにネットワーク・リソースを自動再構成する前記手段は、前記ボリュームに向けられた入力／出力要求の中断を最小限にするように前記再構成を行い、前記ボリュームの継続的な可用性をもたらす、請求項７に記載のデータ管理システム。
【請求項１３】
データ管理用プログラムであって、
ボリュームを有する第１、第２および第３の記憶システムに対して動作が行われるようにする少なくとも一つのデータ管理用プログラムであって、請求項１から６のいずれか１項に記載のステップを前記記憶システムが実行するための装置実行可能なプログラム。